(57)【要約】【課題】二次元バーコードリーダの読取部の周囲に読取部の表面より突出する突起部を配設するようにして、利用者が保持する二次元バーコード担持媒体と読取部の表面との距離を保持することができ、二次元バーコードを短時間で正確に読み取ることができ、利用者がゲートをスムーズに通過することができるようにする。【解決手段】二次元バーコード担持媒体から二次元バーコードを読み取る二次元バーコードリーダを有する二次元バーコードリーダ付ゲート装置１０であって、前記二次元バーコードリーダは、読取部１１ａを備え、該読取部１１ａの上方にかざした二次元バーコード担持媒体から二次元バーコードを読み取り、前記読取部１１ａの周囲には、該読取部１１ａの表面よりも上方に突出する突起部が配設されている。【選択図】図１
2008171052.tif 000002
【特許請求の範囲】
【請求項１】
（ａ）二次元バーコード担持媒体から二次元バーコードを読み取る二次元バーコードリーダを有する二次元バーコードリーダ付ゲート装置であって、
（ｂ）前記二次元バーコードリーダは、読取部を備え、該読取部の上方にかざした二次元バーコード担持媒体から二次元バーコードを読み取り、
（ｃ）前記読取部の周囲には、該読取部の表面よりも上方に突出する突起部が配設されていることを特徴とする二次元バーコードリーダ付ゲート装置。
【請求項２】
前記突起部は円錐台の形状を備える請求項１に記載の二次元バーコードリーダ付ゲート装置。
【請求項３】
前記突起部は角形の形状を備える請求項１に記載の二次元バーコードリーダ付ゲート装置。
【請求項４】
前記突起部は前記読取部の上方を覆う透明カバー部材を備える請求項１に記載の二次元バーコードリーダ付ゲート装置。
【請求項５】
前記突起部は緩やかなガイド面を備える請求項１に記載の二次元バーコードリーダ付ゲート装置。
【請求項６】
前記突起部は連続したガイド面を備える請求項４に記載の二次元バーコードリーダ付ゲート装置。
【発明の詳細な説明】
【技術分野】
【０００１】
本発明は、二次元バーコードリーダ付ゲート装置に関するものである。
【背景技術】
【０００２】
従来、鉄道の駅における改札口、飛行場における飛行機の搭乗ゲート等のゲートには自動改札機等のゲート装置が配設され、一面に情報記憶手段として磁気ストライプが貼（てん）付された磁気媒体及びＩＣカードから成るチケットの記憶する情報をゲート装置の備える読取装置に読み取らせて前記ゲートを通過するようになっている（例えば、特許文献１参照。）。しかし、磁気媒体及びＩＣカードから成るチケットは、それ自体のコストが高くなってしまう。また、利用者は旅行代理店、駅の窓口等に出向いてチケットを受け取る必要があるので、利便性が低く、特に、現在広く普及しているインターネットを経由してチケットの予約を行うインターネット予約システムと連動したチケットレスシステムを実現することが困難である。
【０００３】
そこで、従来のチケットに代えて、二次元バーコードを利用することによって、インターネット予約システムと連動したチケットレスシステムを構築することが考えられる。この場合、インターネットを経由してチケットの予約を行った利用者に対して、チケット情報を二次元バーコードとして付与する。そして、利用者は、自身が所持する携帯電話機等の携帯端末の記憶手段に受領した二次元バーコードを記憶させ、ゲートを通過する際に携帯端末に表示装置に前記二次元バーコードを表示させてゲート装置が備える二次元バーコードリーダに読み取らせることができる。これにより、利用者は、チケットを所持することなくゲートを通過することができ、チケットのコストを負担する必要がなく、旅行代理店、駅の窓口等に出向いてチケットを受け取る手間も省くことができる。
【特許文献１】特開平１１−４５３６０号公報
【発明の開示】
【発明が解決しようとする課題】
【０００４】
しかしながら、前記従来の二次元バーコードリーダを備えるゲート装置においては、読取の対象物である二次元バーコードを一定時間静止に近い状態とする必要があるので、利用者がゲートをスムーズに通過することができなかった。通常の二次元バーコードリーダは、読取のための視野が狭いので、二次元バーコードを表示する携帯端末をかざす位置、二次元バーコードの明るさ等が、あらかじめ規定された範囲内にないと、二次元バーコードを読み取ることができない。
【０００５】
そのため、二次元バーコードリーダを、例えば、ＡＴＭ（Ａｕｔｏｍａｔｉｃ  Ｔｅｌｌｅｒ  Ｍａｃｈｉｎｅ：現金自動預払機）等の自動取引装置や自動券売機に配設した場合には、利用者が自動取引装置や自動券売機の前で停止して二次元バーコードを表示する携帯端末を二次元バーコードリーダに対してかざすので、二次元バーコードの読取に支障をきたすことがない。しかし、二次元バーコードリーダをゲート装置に配設した場合には、利用者が移動しながら二次元バーコードを表示する携帯端末を二次元バーコードリーダに対してかざすので、二次元バーコードを正確に読み取ることが困難であり、その結果、利用者がゲートをスムーズに通過することができなかった。
【０００６】
本発明は、前記従来の問題点を解決して、二次元バーコードリーダの読取部の周囲に読取部の表面より突出する突起部を配設するようにして、利用者が保持する二次元バーコード担持媒体と読取部の表面との距離を保持することができ、二次元バーコードを短時間で正確に読み取ることができ、利用者がゲートをスムーズに通過することができる二次元バーコードリーダ付ゲート装置を提供することを目的とする。
【課題を解決するための手段】
【０００７】
そのために、本発明の二次元バーコードリーダ付ゲート装置においては、二次元バーコード担持媒体から二次元バーコードを読み取る二次元バーコードリーダを有する二次元バーコードリーダ付ゲート装置であって、前記二次元バーコードリーダは、読取部を備え、該読取部の上方にかざした二次元バーコード担持媒体から二次元バーコードを読み取り、前記読取部の周囲には、該読取部の表面よりも上方に突出する突起部が配設されている。
【０００８】
本発明の他の二次元バーコードリーダ付ゲート装置においては、さらに、前記突起部は円錐（すい）台の形状を備える。
【０００９】
本発明の更に他の二次元バーコードリーダ付ゲート装置においては、さらに、前記突起部は角形の形状を備える。
【００１０】
本発明の更に他の二次元バーコードリーダ付ゲート装置においては、さらに、前記突起部は前記読取部の上方を覆う透明カバー部材を備える。
【００１１】
本発明の更に他の二次元バーコードリーダ付ゲート装置においては、さらに、前記突起部は緩やかなガイド面を備える。
【００１２】
本発明の更に他の二次元バーコードリーダ付ゲート装置においては、さらに、前記突起部は連続したガイド面を備える。
【発明の効果】
【００１３】
本発明によれば、二次元バーコードリーダ付ゲート装置においては、二次元バーコードリーダの読取部の周囲に読取部の表面より突出する突起部が配設されている。これにより、利用者が保持する二次元バーコード担持媒体と読取部の表面との距離を保持することができ、二次元バーコードを短時間で正確に読み取ることができ、利用者がゲートをスムーズに通過することができる。
【発明を実施するための最良の形態】
【００１４】
以下、本発明の実施の形態について図面を参照しながら詳細に説明する。
【００１５】
図１は本発明の第１の実施の形態における二次元バーコードリーダ付ゲート装置を示す斜視図、図２は本発明の第１の実施の形態における二次元バーコードリーダ付ゲート装置の内部構造を示す図である。
【００１６】
図において、１０は本実施の形態における二次元バーコードリーダ付ゲート装置である。該二次元バーコードリーダ付ゲート装置１０は、例えば、鉄道の駅における改札口、飛行場における飛行機の搭乗ゲート等のゲートに配設されるものであるが、映画館、劇場、ゲームセンタ等の屋内娯楽施設の出入口等のゲート、遊園地、テーマパーク、動物園等の屋外娯楽施設の出入口等のゲート、野球場、サッカー場、競馬場等のスポーツ施設の出入口等のゲート、美術館、博物館等の文化施設の出入口等のゲート等、いかなる施設のいかなる種類のゲートに配設されるものであってもよい。
【００１７】
そして、前記二次元バーコードリーダ付ゲート装置１０を通過して施設に入場しようとする利用者は、バーチャルな電子チケットをあらかじめ購入するようになっている。この場合、前記利用者は、自宅等に配設されたパーソナルコンピュータや、携帯電話機等の携帯端末を操作して、インターネットに接続された図示されないチケット販売サーバにアクセスして、電子チケットを購入する。なお、電子チケットの代金は、クレジットカード、電子マネー等、任意の決済手段を使用して決済することができる。
【００１８】
また、前記利用者は、銀行、信用金庫、郵便局、消費者金融会社等の金融機関の支店等である営業店、コンビニエンスストア、スーパーマーケット等の店舗に配設された自動取引装置がチケット予約機能等を備えるキオスク端末のような多機能端末である場合には、該多機能端末を操作して、電子チケットを購入することもできる。この場合、現金の入金、金融機関の発行するキャッシュカード、デビットカード等も決済手段として使用することができる。
【００１９】
そして、利用者が電子チケットを購入すると、該電子チケットの内容を示す二次元バーコードを表示するためのデータが、前記チケットサーバから、インターネット等を経由して、前記利用者の携帯端末に送信される。該携帯端末は、受信したデータを半導体メモリ等の記憶装置に記憶し、利用者の操作に応じて、前記データに基づいて電子チケットの内容を示す二次元バーコードを表示装置に表示する。ここで、前記携帯端末は、データ通信機能を有するとともに、二次元バーコードを表示可能な解像度を備えた液晶ディスプレイ、ＬＥＤ（Ｌｉｇｈｔ  Ｅｍｉｔｔｉｎｇ  Ｄｉｏｄｅ）ディスプレイ等の表示装置を有するものとする。
【００２０】
なお、前記携帯端末が十分に解像度の高い撮像装置を有するものである場合、購入した電子チケットの内容を示す二次元バーコードを利用者の自宅等に配設されたパーソナルコンピュータの表示装置やキオスク端末のような多機能端末の表示装置に表示させ、表示された二次元バーコードを前記撮像装置によって撮像することにより、二次元バーコードを表示するためのデータを携帯端末の記憶装置に記憶させてもよい。
【００２１】
また、本実施の形態における二次元バーコードは、例えば、ＱＲ（Ｑｕｉｃｋ  Ｒｅｓｐｏｎｓｅ）コード（Ｒ）と称される二次元コードや、二次元シンボルと称される二次元コードであるが、いかなる種類の二次元コードであってもよい。
【００２２】
そして、利用者は、前記二次元バーコードリーダ付ゲート装置１０を通過して施設に入場する際に、二次元バーコードを表示するためのデータを記憶装置に記憶させた携帯端末を二次元バーコード担持媒体の１つであるかざし用媒体２６として使用する。なお、前記携帯端末をかざし用媒体２６として使用する場合、表示装置に二次元バーコードを表示させておく必要がある。
【００２３】
ここで、前記二次元バーコードリーダ付ゲート装置１０は、かざし用媒体２６の二次元バーコードを読み取るための二次元バーコードリーダである第１コードリーダ１１を有する。該第１コードリーダ１１は、図２に示されるように、二次元バーコードリーダ付ゲート装置１０の上部に配設され、その読取部１１ａの表面が二次元バーコードリーダ付ゲート装置１０の上面とほぼ面一となっている。そして、読取部１１ａの周囲には、該読取部１１ａの表面より突出する突起部としてのガイド部２５が配設されている。
【００２４】
本実施の形態において、該ガイド部２５は、上部の径が下部の径より小さい円錐台の形状を備え、二次元バーコードリーダ付ゲート装置１０の上面に取り付けられている。そして、円錐台の中央に該当する部分は、上下に貫通する断面円形の開口であり、該開口の底面に前記読取部１１ａが位置する。また、円錐台の側面に該当する部分は、二次元バーコードリーダ付ゲート装置１０の上面に対して緩やかに傾斜する円錐面となっていて、かざし用媒体２６をガイドするガイド面として機能する。さらに、円錐台の頂部は、かざし用媒体２６と読取部１１ａの表面との距離を規定する距離規定部として機能する。この場合、規定された距離は、第１コードリーダ１１がかざし用媒体２６の二次元バーコードを正確に読み取ることができる距離である。これにより、かざし用媒体２６をガイド部２５に沿って移動させると、かざし用媒体２６と読取部１１ａの表面との距離が距離規定部によって規定された距離に保持されるので、第１コードリーダ１１はかざし用媒体２６の二次元バーコードを正確に読み取ることができる。
【００２５】
また、前記二次元バーコードリーダ付ゲート装置１０は、図２に示されるように、チケット２８を発券するための機能を有する。前記チケット２８は、紙等の媒体に座席番号等の事項が印字されたものであり、チケット排出口１８から発行される。前記チケット２８に印字された事項は、第１コードリーダ１１が読み取った二次元バーコードに対応する内容、すなわち、利用者が購入した電子チケットに対応する内容のものである。そのため、発行されたチケット２８を受け取った利用者は、チケット２８に印字された、例えば、座席番号に従って予約した座席に着席することができる。
【００２６】
そして、前記二次元バーコードリーダ付ゲート装置１０は、チケット２８を発券する発券部１６を有する。該発券部１６は、例えば、長尺の帯状の連続紙をロール状に巻いたロール紙が装填（てん）され、該ロール紙を巻き戻して連続紙を送り出し、該連続紙を所定の長さに切断したシート状の用紙に印字を行うことによってチケット２８を発券する。なお、前記発券部１６は、あらかじめ所定のサイズに形成されたシート状の用紙を複数枚積層した状態でカセット内に装填し、該カセットから１枚ずつ繰り出した用紙に印字を行ってチケット２８を発券するものであってもよい。そして、発券されたチケット２８は、チケット搬送路２１ａを通って搬送され、二次元バーコードリーダ付ゲート装置１０の上面に開口するチケット搬送路２１ａの出口であるチケット排出口１８から排出されて発行される。
【００２７】
また、前記二次元バーコードリーダ付ゲート装置１０は、図２に示されるように、二次元バーコード担持媒体の１つである挿入用媒体２７を受け付けるための機能も有する。前記挿入用媒体２７は、紙、プラスチック等から成るチケット、カード等の形状を備える媒体の一方の面に利用者が購入した電子チケットの内容を示す二次元バーコードが印字されたものであり、従来のような紙チケットを好む利用者、携帯端末を所持してない利用者等に対して、当該利用者の希望に応じて、あらかじめ発行されたものである。
【００２８】
そして、前記二次元バーコードリーダ付ゲート装置１０の内部には、挿入用媒体２７を搬送するための媒体搬送路２１ｂが配設され、さらに、該媒体搬送路２１ｂに沿って、表裏判定部１４、表裏反転部１５、第２コードリーダ１２及び印字部１７が配設されている。なお、前記媒体搬送路２１ｂの一端は、二次元バーコードリーダ付ゲート装置１０の傾斜上面に開口する媒体挿入口１３であり、前記媒体搬送路２１ｂの他端はチケット搬送路２１ａに接続されている。
【００２９】
ここで、前記表裏判定部１４は、例えば、発光素子、受光素子等を備える光学センサを備え、媒体挿入口１３から挿入された挿入用媒体２７が表向きであるか裏向きであるかを判定する。なお、本実施の形態において、表向きとは、挿入用媒体２７において二次元バーコードが印字された面が上を向いている状態であるものとする。そして、前記表裏反転部１５は、表裏判定部１４の判定結果に従い、挿入用媒体２７が裏向きである場合には、該挿入用媒体２７の表裏を反転させて、表向きとする。この場合、前記表裏反転部１５は、スイッチバック経路を備え、該スイッチバック経路に裏向きである挿入用媒体２７を前向きで導入した後に後向きで排出することによって、挿入用媒体２７の表裏を反転させることができる。なお、挿入用媒体２７が表向きである場合には、該挿入用媒体２７の表裏を反転させる必要がないので、前記挿入用媒体２７をスイッチバック経路に導入することなく、そのまま通過させる。
【００３０】
また、前記第２コードリーダ１２は、挿入用媒体２７の二次元バーコードを読み取るための二次元バーコードリーダであり、媒体搬送路２１ｂの上側壁に配設され、表向きの挿入用媒体２７の上を向いた面に印字された二次元バーコードを読み取る。さらに、前記印字部１７は、挿入用媒体２７に座席番号等の事項を印字する。前記挿入用媒体２７に印字される事項は、第２コードリーダ１２が読み取った二次元バーコードに対応する内容、すなわち、利用者が購入した電子チケットに対応する内容のものである。そのため、前記事項が印字された挿入用媒体２７を受け取った利用者は、挿入用媒体２７に印字された、例えば、座席番号に従って予約した座席に着席することができる。なお、前記印字部１７によって座席番号等の事項が印字された挿入用媒体２７は、媒体搬送路２１ｂの他端に接続されたチケット搬送路２１ａを通って、チケット排出口１８から排出される。
【００３１】
さらに、前記二次元バーコードリーダ付ゲート装置１０は、表示装置２２及び警報装置２３を有する。前記表示装置２２は、ＬＥＤ等から成る緑色及び赤色のランプを備え、二次元バーコードリーダ付ゲート装置１０の上面に配設され、第１コードリーダ１１又は第２コードリーダ１２が読み取った二次元バーコードの示す電子チケットの内容が適切なものであった場合等のように、利用者が二次元バーコードリーダ付ゲート装置１０を通過すべきであると判断される場合に緑色のランプを発光させる。また、第１コードリーダ１１又は第２コードリーダ１２がかざし用媒体２６又は挿入用媒体２７の二次元バーコードを読み取れなかった場合、第１コードリーダ１１又は第２コードリーダ１２が読み取った二次元バーコードの示す電子チケットの内容が不適切なものであった場合等のように、利用者が二次元バーコードリーダ付ゲート装置１０を通過すべきでないと判断される場合には、赤色のランプを警報として発光させる。さらに、前記警報装置２３は、利用者が二次元バーコードリーダ付ゲート装置１０を通過すべきでないと判断される場合に、警報音を発生するようになっている。
【００３２】
なお、前記二次元バーコードリーダ付ゲート装置１０は、通常の自動改札機と同様に、フラッパ２４を有するものであってもよい。該フラッパ２４は、利用者が二次元バーコードリーダ付ゲート装置１０を通過すべきでないと判断される場合に作動して、通路を遮断することによって、利用者がゲートを通過することを物理的に阻止することができる。
【００３３】
次に、前記二次元バーコードリーダ付ゲート装置１０の動作を制御する制御装置の構造について説明する。
【００３４】
図３は本発明の第１の実施の形態における二次元バーコードリーダ付ゲート装置の制御装置の構造を示すブロック図である。
【００３５】
図において、３１は制御部であり、ＣＰＵ、ＭＰＵ等の演算装置を備え、二次元バーコードリーダ付ゲート装置１０の動作を統合的に制御する。また、３２は、前記制御部３１に接続されたメモリであり、半導体メモリ、磁気ディスク等の記憶装置を備え、各種プログラム、データ等を記憶する。さらに、３３は報知部であり、前記表示装置２２及び警報装置２３を備え、利用者がゲートを通過すべきでないと判断される場合に警報を発するようになっている。
【００３６】
なお、３４は磁気処理部であり、必要に応じて媒体搬送路２１ｂに沿って配設される。前記磁気処理部３４は、二次元バーコードリーダ付ゲート装置１０が、例えば、情報記憶手段としての磁気ストライプが貼付された挿入用媒体２７や、従来の磁気ストライプが貼付された磁気媒体から成るチケットを受け付けるものである場合、使用される。
【００３７】
そして、前記第１コードリーダ１１、第２コードリーダ１２、表裏判定部１４、表裏反転部１５、発券部１６、印字部１７、フラッパ２４、報知部３３及び磁気処理部３４は、制御部３１に接続され、該制御部３１によって制御される。
【００３８】
次に、前記構成の二次元バーコードリーダ付ゲート装置１０の動作について説明する。ここでは、利用者がかざし用媒体２６をかざして二次元バーコードリーダ付ゲート装置１０を通過する際の動作について説明する。
【００３９】
図４は本発明の第１の実施の形態における二次元バーコードリーダ付ゲート装置を利用者が通過する際の動作を示す図である。
【００４０】
まず、利用者は、自己の所持する携帯端末を操作して、その表示装置に二次元バーコードを表示させ、かざし用媒体２６として機能させる。そして、利用者は、二次元バーコードリーダ付ゲート装置１０を通過しようとする際に、図４（ａ）に示されるように、前記かざし用媒体２６を片手、例えば、右手で保持する。
【００４１】
続いて、利用者は、図４（ｂ）に示されるように、前記かざし用媒体２６を二次元バーコードリーダ付ゲート装置１０の上部に配設されている第１コードリーダ１１の読取部１１ａにかざす。この場合、利用者は、かざし用媒体２６をガイド部２５に沿って移動させる。これにより、かざし用媒体２６と読取部１１ａの表面との距離が距離規定部によって規定された距離に保持されるので、第１コードリーダ１１はかざし用媒体２６の二次元バーコードを正確に読み取ることができる。
【００４２】
続いて、発券部１６は、第１コードリーダ１１が読み取った二次元バーコードに対応する内容、すなわち、利用者が購入した電子チケットに対応する内容の事項、例えば、座席番号を印字したチケット２８を発行する。そして、利用者は、図４（ｃ）に示されるように、読取部１１ａを通過した後に、チケット排出口１８から排出されたチケット２８を受け取ることができる。
【００４３】
このように、本実施の形態において、二次元バーコードリーダ付ゲート装置１０は、第１コードリーダ１１の読取部１１ａの周囲に配設されたガイド部２５を有する。該ガイド部２５は、前記読取部１１ａの表面より突出する円錐台の形状を備え、二次元バーコードリーダ付ゲート装置１０の上面に取り付けられ、前記読取部１１ａの表面より突出する。そして、円錐台の中央に形成された円形の開口の底面に前記読取部１１ａが位置する。
【００４４】
これにより、利用者がかざし用媒体２６をガイド部２５に沿って移動させると、かざし用媒体２６と読取部１１ａの表面との距離が距離規定部によって規定された距離に確実に保持される。そのため、第１コードリーダ１１は、かざし用媒体２６の二次元バーコードを正確に読み取ることができる。
【００４５】
また、前記読取部１１ａの周囲がガイド部２５によって囲まれているので、外部からの外乱光の影響が少なくなり、第１コードリーダ１１による二次元バーコードの読取率が向上する。
【００４６】
さらに、ガイド部２５が二次元バーコードリーダ付ゲート装置１０の上面から突出しているので、かざし用媒体２６を保持する利用者の手指が二次元バーコードリーダ付ゲート装置１０の筐（きょう）体に当接することがなく、利用者は、かざし用媒体２６を容易にかざすことができる。
【００４７】
さらに、ガイド部２５の形状が円錐台であるので、利用者はガイド部２５を容易に視認することができ、かざし用媒体２６を正確な位置でかざすことができるので、第１コードリーダ１１による二次元バーコードの読取率が向上する。
【００４８】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００４９】
図５は本発明の第２の実施の形態における二次元バーコードリーダ付ゲート装置を示す斜視図、図６は本発明の第２の実施の形態における二次元バーコードリーダ付ゲート装置のガイド部の構成を示す要部拡大側面図である。
【００５０】
図に示されるように、本実施の形態におけるガイド部２５は、利用者の通過する方向に関して前後に分割された第１ガイド部２５ａ及び第２ガイド部２５ｂから成る。そして、前記第１ガイド部２５ａ及び第２ガイド部２５ｂは、角形の形状を備え、利用者の通過する方向に関して第１コードリーダ１１の読取部１１ａの前端及び後端に各々隣接するように配設されている。そのため、第１ガイド部２５ａと第２ガイド部２５ｂとの間の空間の底面に前記読取部１１ａが位置する。
【００５１】
また、第１ガイド部２５ａ及び第２ガイド部２５ｂの上面は、読取部１１ａに近付くほど上昇する緩やかな傾斜面となっていて、かざし用媒体２６をガイドするガイド面として機能する。さらに、第１ガイド部２５ａ及び第２ガイド部２５ｂの頂部は、かざし用媒体２６と読取部１１ａの表面との距離を規定する距離規定部として機能する。なお、図６において、前記距離はαとして示されている。
【００５２】
これにより、かざし用媒体２６を第１ガイド部２５ａ及び第２ガイド部２５ｂに沿って移動させると、かざし用媒体２６と読取部１１ａの表面との距離が距離規定部によって規定された距離に保持されるので、第１コードリーダ１１はかざし用媒体２６の二次元バーコードを正確に読み取ることができる。
【００５３】
なお、その他の点の構成及び動作については、前記第１の実施の形態と同様であるので、その説明を省略する。
【００５４】
このように、本実施の形態において、二次元バーコードリーダ付ゲート装置１０は、第１コードリーダ１１の読取部１１ａの前後に配設された角形の形状の第１ガイド部２５ａ及び第２ガイド部２５ｂを有する。前記第１ガイド部２５ａ及び第２ガイド部２５ｂは、前記読取部１１ａの表面より上方に向けて上昇する傾斜面を備え、二次元バーコードリーダ付ゲート装置１０の上面に取り付けられ、前記読取部１１ａの表面より突出する。そして、第１ガイド部２５ａと第２ガイド部２５ｂとの間の空間の底面に前記読取部１１ａが位置する。
【００５５】
これにより、利用者がかざし用媒体２６を第１ガイド部２５ａ及び第２ガイド部２５ｂに沿って移動させると、かざし用媒体２６と読取部１１ａの表面との距離が距離規定部によって規定された距離に確実に保持される。そのため、第１コードリーダ１１は、かざし用媒体２６の二次元バーコードを正確に読み取ることができる。
【００５６】
また、前記読取部１１ａの前後が第１ガイド部２５ａ及び第２ガイド部２５ｂによって囲まれているので、外部からの外乱光の影響が少なくなり、第１コードリーダ１１による二次元バーコードの読取率が向上する。
【００５７】
さらに、第１ガイド部２５ａ及び第２ガイド部２５ｂが二次元バーコードリーダ付ゲート装置１０の上面から突出しているので、かざし用媒体２６を保持する利用者の手指が二次元バーコードリーダ付ゲート装置１０の筐体に当接することがなく、利用者は、かざし用媒体２６を容易にかざすことができる。
【００５８】
次に、本発明の第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【００５９】
図７は本発明の第３の実施の形態における二次元バーコードリーダ付ゲート装置のガイド部の構成を示す要部拡大側面図である。
【００６０】
図７に示されるように、本実施の形態におけるガイド部２５は、前記第２の実施の形態と同様に、利用者の通過する方向に関して前後に分割された第１ガイド部２５ａ及び第２ガイド部２５ｂから成る。そして、前記第１ガイド部２５ａ及び第２ガイド部２５ｂは、角形の形状を備え、利用者の通過する方向に関して第１コードリーダ１１の読取部１１ａの前端及び後端に各々隣接するように配設されている。そのため、第１ガイド部２５ａと第２ガイド部２５ｂとの間の空間の底面に前記読取部１１ａが位置する。
【００６１】
また、第１ガイド部２５ａ及び第２ガイド部２５ｂの上面は、読取部１１ａに近付くほど上昇する緩やかな傾斜面となっていて、かざし用媒体２６をガイドするガイド面として機能する。さらに、第１ガイド部２５ａ及び第２ガイド部２５ｂの頂部は、かざし用媒体２６と読取部１１ａの表面との距離を規定する距離規定部として機能する。なお、図７において、前記距離はαとして示されている。
【００６２】
さらに、本実施の形態において、ガイド部２５は、第１ガイド部２５ａの頂部と第２ガイド部２５ｂの頂部とを結ぶような透明カバー部材２５ｃを有する。該透明カバー部材２５ｃは、第１ガイド部２５ａと第２ガイド部２５ｂとの間の空間の上面を覆うだけでなく、側面も覆っていることが望ましい。
【００６３】
これにより、かざし用媒体２６を第１ガイド部２５ａ、第２ガイド部２５ｂ及び透明カバー部材２５ｃに沿って移動させると、かざし用媒体２６と読取部１１ａの表面との距離が透明カバー部材２５ｃによって規定された距離に保持されるので、第１コードリーダ１１はかざし用媒体２６の二次元バーコードを正確に読み取ることができる。
【００６４】
なお、その他の点の構成及び動作については、前記第１及び第２の実施の形態と同様であるので、その説明を省略する。
【００６５】
このように、本実施の形態においては、第１ガイド部２５ａの頂部と第２ガイド部２５ｂの頂部とが透明カバー部材２５ｃによって結ばれているので、ガイド部２５は、読取部１１ａの上方も含む、一連の連続面したガイド面を備える。そのため、かざし用媒体２６を第１ガイド部２５ａ、第２ガイド部２５ｂ及び透明カバー部材２５ｃに沿ってスムーズに移動させることができる。
【００６６】
また、透明カバー部材２５ｃが、第１ガイド部２５ａと第２ガイド部２５ｂとの間の空間の上面だけでなく側面も覆っている場合には、防塵（じん）機能を発揮するので、塵埃（あい）が読取部１１ａの表面に付着することがない。そのため、第１コードリーダ１１による二次元バーコードの読取率が向上する。
【００６７】
なお、その他の点の効果については、前記第２の実施の形態と同様であるので、その説明を省略する。
【００６８】
また、本発明は前記実施の形態に限定されるものではなく、本発明の趣旨に基づいて種々変形させることが可能であり、それらを本発明の範囲から排除するものではない。
【図面の簡単な説明】
【００６９】
【図１】本発明の第１の実施の形態における二次元バーコードリーダ付ゲート装置を示す斜視図である。
【図２】本発明の第１の実施の形態における二次元バーコードリーダ付ゲート装置の内部構造を示す図である。
【図３】本発明の第１の実施の形態における二次元バーコードリーダ付ゲート装置の制御装置の構造を示すブロック図である。
【図４】本発明の第１の実施の形態における二次元バーコードリーダ付ゲート装置を利用者が通過する際の動作を示す図である。
【図５】本発明の第２の実施の形態における二次元バーコードリーダ付ゲート装置を示す斜視図である。
【図６】本発明の第２の実施の形態における二次元バーコードリーダ付ゲート装置のガイド部の構成を示す要部拡大側面図である。
【図７】本発明の第３の実施の形態における二次元バーコードリーダ付ゲート装置のガイド部の構成を示す要部拡大側面図である。
【符号の説明】
【００７０】
１０    二次元バーコードリーダ付ゲート装置
１１    第１コードリーダ
１１ａ    読取部
１２    第２コードリーダ
２５    ガイド部
２５ａ    第１ガイド部
２５ｂ    第２ガイド部
２５ｃ    透明カバー部材
【図１】
2008171052.tif 000003
【図２】
2008171052.tif 000004
【図３】
2008171052.tif 000005
【図４】
2008171052.tif 000006
【図５】
2008171052.tif 000007
【図６】
2008171052.tif 000008
【図７】
2008171052.tif 000009